(57)【要約】 【課題】住宅に必然的に設置する給湯器のシステムを利用して安価簡便に構築できるようにした防犯システムを提供する。【解決手段】給湯器１０の室内リモコン２０，２０ａを利用し、建物の外部からの侵入操作を検出して報知する防犯システム１であって、建物の内部の要所に設置された室内リモコン２０，２０ａのスピーカを利用した感音マイク２１，２１ａと、感音マイク２１，２１ａが接続する給湯器１０の管理装置３０に設けた監視部３２とを備えて成り、感音マイク２１，２１ａは、建物内で音を検知して音情報を監視部３２に入力するものであり、監視部３２は、感音マイク２１，２１ａからの音情報を受け取る入力部３３と、異常音を記憶するデータ部３４と、データ部３４のデータと感音マイク２１，２１ａからの音情報とを比較して異常を判断する判断部３５と、判断部３５が異常を判断したときに警報信号を出力する警報出力部３６とを備えて成る。【選択図】図１
2005165693.tif 000002
【特許請求の範囲】
【請求項１】
給湯器の室内リモコンを利用し、建物の外部からの侵入操作を検出して報知する防犯システムであって、
建物の内部の要所に設置された室内リモコンのスピーカを利用した感音マイクと、該感音マイクが接続する給湯器の管理装置に設けた監視部とを備えて成り、
前記感音マイクは、建物内で音を検知して音情報を前記監視部に入力するものであり、
前記監視部は、前記感音マイクからの音情報を受け取る入力部と、異常音を記憶するデータ部と、該データ部のデータと前記感音マイクからの音情報とを比較して異常を判断する判断部と、判断部が異常を判断したときに警報信号を出力する警報出力部とを備えて成ることを特徴とする防犯システム。
【請求項２】
給湯器の室内リモコンを利用し、建物の外部からの侵入操作を検出して報知する防犯システムであって、
建物の内部の要所に設置された室内リモコンのスピーカを利用した感音マイクと、該感音マイクが接続する給湯器の管理装置に設けた監視部とを備えて成り、
前記感音マイクは、建物内で音を検知して音情報を前記監視部に入力するものであり、
前記監視部は、前記感音マイクからの音情報を受け取る入力部と、異常音を記憶するデータ部と、該データ部のデータと前記感音マイクからの音情報とを比較して異常を判断する判断部と、判断部が異常を判断したとき、前記室内リモコンおよび、遠隔の監視センターに警報信号を出力する警報出力部とを備えて成ることを特徴とする防犯システム。
【請求項３】
給湯器の室内リモコンを利用し、建物の外部からの侵入操作を検出して報知する防犯システムであって、
建物の内部の要所に設置された室内リモコンのスピーカを利用した感音マイクと、該感音マイクが接続する給湯器の管理装置に設けた監視部とを備えて成り、
前記感音マイクは、建物内で音を検知して音情報を前記監視部に入力するものであり、
前記監視部は、前記感音マイクからの音情報を受け取る入力部と、異常音を記憶するデータ部と、該データ部のデータと前記感音マイクからの音情報とを比較して異常を判断する判断部と、該判断部が異常を判断したとき、前記室内リモコンおよび、遠隔の監視センターに警報信号を出力する警報出力部とを備え、
前記室内リモコンは、警報信号を受信したとき、警告音を発し、前記監視センターは警報解除がなされない所定の条件が成立したとき、関係機関に通報することを特徴とする防犯システム。
【請求項４】
前記データ部は、前記感音マイクからの音情報から異常を示す音情報を学習し峻別して記憶することを特徴とする請求項１，２または３に記載の防犯システム。
【発明の詳細な説明】
【技術分野】
【０００１】
本発明は、給湯器の室内リモコンを利用し、建物の外部からの侵入操作を検出して報知する防犯システムに関する。
【背景技術】
【０００２】
従来の技術としては、例えば特許文献１に示すようなものがある。  
すなわち、特許文献１の特開２００３−４４９４７号公報には、ドアロックの開錠音を防犯センサで検知し、ピッキング音、窓ガラスのカット音や破壊音であるかどうかの判定をし、異常を報知する技術が開示されている。
【０００３】
【特許文献１】特開２００３−４４９４７号公報
【発明の開示】
【発明が解決しようとする課題】
【０００４】
しかしながら、このような従来の技術では、全てのシステムを新たに利用者宅に設置しなければならず、コストが嵩むという問題点があった。  
本発明は、このような従来の技術が有する問題点に着目してなされたもので、住宅に必然的に設置する給湯器のシステムを利用して安価簡便に構築できるようにした防犯システムを提供することを目的としている。
【課題を解決するための手段】
【０００５】
かかる目的を達成するための本発明の要旨とするところは、次の各項の発明に存する。
［１］  給湯器（１０）の室内リモコン（２０，２０ａ）を利用し、建物の外部からの侵入操作を検出して報知する防犯システム（１）であって、
建物の内部の要所に設置された室内リモコン（２０，２０ａ）のスピーカを利用した感音マイク（２１，２１ａ）と、該感音マイク（２１，２１ａ）が接続する給湯器（１０）の管理装置（３０）に設けた監視部（３２）とを備えて成り、
前記感音マイク（２１，２１ａ）は、建物内で音を検知して音情報を前記監視部（３２）に入力するものであり、
前記監視部（３２）は、前記感音マイク（２１，２１ａ）からの音情報を受け取る入力部（３３）と、異常音を記憶するデータ部（３４）と、該データ部（３４）のデータと前記感音マイク（２１，２１ａ）からの音情報とを比較して異常を判断する判断部（３５）と、判断部（３５）が異常を判断したときに警報信号を出力する警報出力部（３６）とを備えて成ることを特徴とする防犯システム（１）。
【０００６】
［２］  給湯器（１０）の室内リモコン（２０，２０ａ）を利用し、建物の外部からの侵入操作を検出して報知する防犯システム（１）であって、
建物の内部の要所に設置された室内リモコン（２０，２０ａ）のスピーカを利用した感音マイク（２１，２１ａ）と、該感音マイク（２１，２１ａ）が接続する給湯器（１０）の管理装置（３０）に設けた監視部（３２）とを備えて成り、
前記感音マイク（２１，２１ａ）は、建物内で音を検知して音情報を前記監視部（３２）に入力するものであり、
前記監視部（３２）は、前記感音マイク（２１，２１ａ）からの音情報を受け取る入力部（３３）と、異常音を記憶するデータ部（３４）と、該データ部（３４）のデータと前記感音マイク（２１，２１ａ）からの音情報とを比較して異常を判断する判断部（３５）と、判断部（３５）が異常を判断したとき、前記室内リモコン（２０，２０ａ）および、遠隔の監視センター（５０）に警報信号を出力する警報出力部（３６）とを備えて成ることを特徴とする防犯システム（１）。
【０００７】
［３］  給湯器（１０）の室内リモコン（２０，２０ａ）を利用し、建物の外部からの侵入操作を検出して報知する防犯システム（１）であって、
建物の内部の要所に設置された室内リモコン（２０，２０ａ）のスピーカを利用した感音マイク（２１，２１ａ）と、該感音マイク（２１，２１ａ）が接続する給湯器（１０）の管理装置（３０）に設けた監視部（３２）とを備えて成り、
前記感音マイク（２１，２１ａ）は、建物内で音を検知して音情報を前記監視部（３２）に入力するものであり、
前記監視部（３２）は、前記感音マイク（２１，２１ａ）からの音情報を受け取る入力部（３３）と、異常音を記憶するデータ部（３４）と、該データ部（３４）のデータと前記感音マイク（２１，２１ａ）からの音情報とを比較して異常を判断する判断部（３５）と、判断部（３５）が異常を判断したとき、前記室内リモコン（２０，２０ａ）および、遠隔の監視センター（５０）に警報信号を出力する警報出力部（３６）とを備え、
前記室内リモコン（２０，２０ａ）は、警報信号を受信したとき、警告音を発し、前記監視センター（５０）は警報解除がなされない所定の条件が成立したとき、関係機関に通報することを特徴とする防犯システム（１）。
【０００８】
［４］  前記データ部（３４）は、前記感音マイク（２１，２１ａ）からの音情報から異常を示す音情報を学習し峻別して記憶することを特徴とする項１、２または３に記載の防犯システム（１）。
【０００９】
前記本発明は次のように作用する。  
本発明に係る防犯システム（１）は、給湯器（１０）の室内リモコン（２０，２０ａ）を利用し、建物の外部からの侵入操作を検出して報知するものである。すなわち、建物の内部の要所に設置された室内リモコン（２０，２０ａ）のスピーカが感音マイク（２１，２１ａ）として動作し、給湯器（１０）の管理装置（３０）に設けた監視部（３２）が感音マイク（２１，２１ａ）の情報を処理する。
【００１０】
感音マイク（２１，２１ａ）は、建物内で音を検知して音情報を前記監視部（３２）に入力し、監視部（３２）は、入力部（３３）に感音マイク（２１，２１ａ）からの音情報を受け取る。監視部（３２）では、判断部（３５）が異常音を記憶したデータ部（３４）のデータと感音マイク（２１，２１ａ）からの音情報とを比較して異常の有無を判断する。そして、判断部（３５）が異常を判断したときに警報出力部（３６）から室内リモコン（２０，２０ａ）および、遠隔の監視センター（５０）に警報信号が出力する。
【００１１】
判断部（３５）が異常を判断して警報出力部（３６）より警報信号を受けたとき、室内リモコン（２０，２０ａ）では、感音マイクとして利用したスピーカにより音警報を発し、また、光や振動で警報を発することもできる。警報信号を受けた監視センター（５０）は警報解除がなされない所定の条件が成立したとき、関係機関に通報する。
【００１２】
データ部（３４）は、感音マイク（２１，２１ａ）からの音情報から異常を示す音情報が入力したとき、すぐリセットされるなど状況を学習し、異常音であるか否かを峻別して記憶する。
【００１３】
なお、給湯器（１０）には、風呂釜用、床暖房用、総合熱源用に使用されるものが含まれる。  
また、給湯器（１０）の使用時間や状態に応じてシステムの設定をするようにしてもよい。すなわち、給湯器（１０）の使用時間を記憶し、使用時間帯では、防犯機能をオフにし、使用時間帯でない不使用時間帯は警戒時間帯として、防犯機能をオンにする。
【００１４】
これら使用時間帯と不使用時間帯とは、手動で設定することもでき、日常の給湯器（１０）の使われ方から学習して設定することもできる。例えば、平日の午前１０：００〜午後３：００や、午後１１：００〜翌日の午前７：００にはほとんど使用されないとすると、管理装置（３０）は、監視部（３２）のデータ部（３４）にこれを学習して記憶させる。また、使用時間帯には監視の程度を低くして、誤報などで無用な警報が発されないようにすることもできる。
【００１５】
また、給湯器（１０）の室内リモコン（２０，２０ａ）では感音できない侵入があったような場合、侵入者の物色を知らせる音で警報を発するようにすることもできる。例えば、たんすや引き出し、収納扉が開けられたままで閉じられない様子を検出する。また、例えば冷蔵庫の扉を開け放したりして冷蔵庫自体の機能によりピピピという警報音や警報音声を検出することもできる。警告が繰り返されるような場合に異常と判断して検出することができる。
【発明の効果】
【００１６】
本発明に係る防犯システムによれば、建物に設置される給湯器の装備を利用し、それに付加することで装置を構築することができるので、安価簡便に防犯システムを装備することができ、住宅の安全を向上させることができる。また、音情報から異常音を峻別して学習するので、判別の精度が設置時より次第に高めることができる。
【発明を実施するための最良の形態】
【００１７】
以下、図面に基づき本発明の好適な一実施の形態を説明する。  
図１〜図３は本発明の一実施の形態を示している。  
図２に示すように、住宅には、給湯器１０が設置され、給湯器１０を操作するための台所用の室内リモコン２０と風呂用の室内リモコン２０ａが設けられている。台所用の室内リモコン２０は、窓１１の音を収集できる位置にあり、風呂用の室内リモコン２０ａは浴場の窓１２の音を収集できる位置にある。なお、給湯器１０には、風呂釜用、床暖房用、総合熱源用に使用されるものが含まれる。
【００１８】
防犯システム１は、このように住宅に設置される給湯器１０とそれを操作する室内リモコン２０，２０ａを利用して、建物の外部からの侵入操作を検出し、異常を検知しようとするものである。
【００１９】
給湯器１０の管理装置３０は、電話４０を介して遠隔の監視センター５０に接続され、給湯器１０を制御する制御部３１と監視部３２を備えている。また、給湯器１０の管理装置３０に接続する人感センサ１３，１４も設けられている。
【００２０】
建物の内部の要所に設置される室内リモコン２０，２０ａには、それぞれスピーカを利用する感音マイク２１，２１ａと、発光部２２，２２ａと、操作部２５，２５ａとが設けられている。室内リモコン２０，２０ａは、警報信号を受信したとき、スピーカである感音マイク２１，２１ａから警告音を発するようになっている。感音マイク２１，２１ａは、建物内で音を検知して音情報を入力するよう管理装置３０の監視部３２に接続されている。
【００２１】
図３に示すように、監視部３２は、感音マイク２１，２１ａからの音情報を受け取る入力部３３と、異常音を記憶するデータ部３４と、データ部３４のデータと感音マイク２１，２１ａからの音情報とを比較して異常を判断する判断部３５と、判断部３５が異常を判断したとき、室内リモコン２０，２０ａおよび、遠隔の監視センター５０に警報信号を出力する警報出力部３６とを備えている。
【００２２】
室内リモコン２０，２０ａは、警報信号を受信したとき、警告音を発し、監視センター５０は警報解除がなされない所定の条件が成立したとき、関係機関に通報するよう構成され、データ部３４は、感音マイク２１，２１ａからの音情報から異常を示す音情報を学習し峻別して記憶するよう構成されている。
【００２３】
次に作用を説明する。  
防犯システム１は、給湯器１０の室内リモコン２０，２０ａを利用し、建物の外部からの侵入操作を検出して報知するものである。すなわち、建物の内部の要所に設置された室内リモコン２０，２０ａのスピーカが感音マイク２１，２１ａとして動作し、給湯器１０の管理装置３０に設けた監視部３２が感音マイク２１，２１ａの情報を処理する。
【００２４】
すなわち、感音マイク２１，２１ａは、常時建物内の音を収集しており、建物内で検知した音情報を監視部３２に入力している。監視部３２は、入力部３３に感音マイク２１，２１ａからの音情報を受け取り、監視部３２では、判断部３５が異常音を記憶したデータ部３４のデータと感音マイク２１，２１ａからの音情報とを比較して異常の有無を判断する。
【００２５】
そして、家庭内の通常の音であれば、異常とは判断されないが、ガラスを割ろうとしてバーナーで熱をかけたり、鈍器で割ろうとしたりした音は異常と判断される。判断部３５が異常を判断したときに警報出力部３６から室内リモコン２０，２０ａおよび、電話４０を介して遠隔の監視センター５０に警報信号を出力する。
【００２６】
判断部３５が異常を判断して警報出力部３６より警報信号を受けたとき、室内リモコン２０，２０ａでは、スピーカである感音マイク２１，２１ａより音警報を発し、また、光や振動で警報を発することもできる。警報信号を受けた監視センター５０は警報解除がなされない所定の条件が成立したとき、関係機関に通報するようになっている。所定の条件の例としては、警報信号が発されたとき、リセットがすぐになされないことなどがあげられる。
【００２７】
データ部３４は、感音マイク２１，２１ａからの音情報から異常を示す音情報が入力したとき、すぐリセットされるような場合は、異常音としないなど状況を学習し、異常音であるか否かを峻別して記憶する。
【図面の簡単な説明】
【００２８】
【図１】本発明の一実施の形態に係る防犯システムを示す概念ブロック図である。
【図２】本発明の一実施の形態に係る防犯システムを設置する住宅を示す説明図である。
【図３】本発明の一実施の形態に係る防犯システムの監視部を示す概念ブロック図である。
【符号の説明】
【００２９】
１…防犯システム
１０…給湯器
１１…窓
１２…窓
１３，１４…人感センサ
２０，２０ａ…室内リモコン
２１，２１ａ…感音マイク
２２，２２ａ…発光部
２５，２５ａ…操作部
３０…管理装置
３１…制御部
３２…監視部
３３…入力部
３４…データ部
３５…判断部
３６…警報出力部
４０…電話
５０…監視センター
【図１】
2005165693.tif 000003
【図２】
2005165693.tif 000004
【図３】
2005165693.tif 000005